(57)【要約】【課題】染毛力に優れ、水溶解性や泡立ちが良好で、洗浄時および乾燥後に毛髪の指通りを保持しながら、耐汗性に優れ、染色された毛髪の褪色を抑制する染毛用染料および該染毛用組成物を提供すること。【解決手段】下記一般式（１）で表される化合物。  【化１】2020033495.tif 000030［式中、Ｘは、置換基を有していてもよい炭素原子数０〜２０のアミノ基を少なくとも１個含有する塩基性染料を表し、Ｚは、アミノ酸を含有する非発色アニオンを表す。］【選択図】なし【特許請求の範囲】
【請求項１】
下記一般式（１）で表される化合物。
【化１】
2020033495.tif 000025
［式中、Ｘは、置換基を有していてもよい炭素原子数０〜２０のアミノ基を
少なくとも１個含有する塩基性染料を表し、
Ｚは、アミノ酸を含有する非発色アニオンを表す。］
【請求項２】
前記一般式（１）において、Ｘが、下記一般式（２）で表される塩基性染料である、
請求項１に記載の化合物。
【化２】
2020033495.tif 000026
［式中、Ｒ１およびＲ２は、それぞれ独立に、
置換基を有していてもよい炭素原子数０〜２０のアミノ基、
置換基を有していてもよい炭素原子数２〜２０の直鎖状もしくは分岐状のアルケニル基、
置換基を有していてもよい炭素原子数６〜３０の芳香族炭化水素基、または
置換基を有していてもよい炭素原子数２〜３０の複素環基を表す。］
【請求項３】
前記一般式（１）において、Ｘが、下記一般式（３）で表される塩基性染料である、
請求項１に記載の化合物。
【化３】
2020033495.tif 000027
［式中、Ｒ３〜Ｒ１８は、それぞれ独立に、―Ｈ、ハロゲン原子、―ＮＯ２、―ＮＯ、―ＣＮ、―ＯＨ、
置換基を有していてもよい炭素原子数０〜２０のアミノ基、
置換基を有していてもよい炭素原子数２〜２０の直鎖状もしくは分岐状のアルケニル基、
置換基を有していてもよい炭素原子数１〜２０の直鎖状もしくは分岐状のアルキル基、
置換基を有していてもよい炭素原子数３〜２０のシクロアルキル基、
置換基を有していてもよい炭素原子数１〜２０の直鎖状もしくは分岐状のアルコキシ基、
置換基を有していてもよい炭素原子数３〜２０のシクロアルコキシ基、
置換基を有していてもよい炭素原子数１〜２０のアシル基、
置換基を有していてもよい炭素原子数６〜３０の芳香族炭化水素基、または
置換基を有していてもよい炭素原子数２〜３０の複素環基を表し、
Ｒ３〜Ｒ１８は、隣り合う基同士で互いに結合して環を形成していてもよい。］
【請求項４】
前記一般式（１）において、Ｘが、下記一般式（４）で表される塩基性染料である、
請求項１に記載の化合物。
【化４】
2020033495.tif 000028
［式中、Ｒ１９〜Ｒ２７は、それぞれ独立に、―Ｈ、ハロゲン原子、―ＮＯ２、―ＮＯ、―ＣＮ、―ＯＨ、
置換基を有していてもよい炭素原子数０〜２０のアミノ基、
置換基を有していてもよい炭素原子数２〜２０の直鎖状もしくは分岐状のアルケニル基、
置換基を有していてもよい炭素原子数１〜２０の直鎖状もしくは分岐状のアルキル基、
置換基を有していてもよい炭素原子数３〜２０のシクロアルキル基、
置換基を有していてもよい炭素原子数１〜２０の直鎖状もしくは分岐状のアルコキシ基、
置換基を有していてもよい炭素原子数３〜２０のシクロアルコキシ基、
置換基を有していてもよい炭素原子数１〜２０のアシル基、
置換基を有していてもよい炭素原子数６〜３０の芳香族炭化水素基、または
置換基を有していてもよい炭素原子数２〜３０の複素環基を表し、
Ｒ１９〜Ｒ２３、および、Ｒ２４〜Ｒ２７は隣り合う基同士で互いに結合して環を形成していてもよい。］
【請求項５】
前記一般式（１）において、Ｘが、下記一般式（５）で表される塩基性染料である、
請求項１に記載の化合物。
【化５】
2020033495.tif 000029
［式中、Ｒ２８〜Ｒ３０は、それぞれ独立に、
置換基を有していてもよい炭素原子数０〜２０のアミノ基、
置換基を有していてもよい炭素原子数２〜２０の直鎖状もしくは分岐状のアルケニル基、
置換基を有していてもよい炭素原子数１〜２０の直鎖状もしくは分岐状のアルキル基、
置換基を有していてもよい炭素原子数１〜２０のシクロアルキル基、
置換基を有していてもよい炭素原子数１〜２０の直鎖状もしくは分岐状のアルコキシ基、
置換基を有していてもよい炭素原子数３〜２０のシクロアルコキシ基、
置換基を有していてもよい炭素原子数１〜２０のアシル基、
置換基を有していてもよい炭素原子数６〜３０の芳香族炭化水素基、または
置換基を有していてもよい炭素原子数２〜３０の複素環基を表し、
Ｒ２９とＲ３０は互いに結合して環を形成していてもよい。］
【請求項６】
前記一般式（１）において、Ｚで表されるアミノ酸含有非発色アニオンが、アミノ酸系アニオン界面活性剤である、請求項１〜請求項５のいずれか一項に記載の化合物。
【請求項７】
請求項１〜請求項６のいずれか一項に記載の化合物を含有する染毛用染料。
【請求項８】
請求項７に記載の染毛用染料と、
湿潤剤、膨潤剤、浸透剤、溶剤、ｐＨ調整剤、界面活性剤、香料、および、増粘剤からなる群より選ばれる少なくとも１種の助剤と、
水と、を含有する染毛用組成物。
【発明の詳細な説明】
【技術分野】
【０００１】
本発明は、塩基性染料とアミノ酸を含有する化合物、染毛用染料および染毛用組成物に関する。より詳しくは、染毛力に優れ、水溶解性や泡立ちが良好で、洗浄時および乾燥後に毛髪の指通りを保持しながら、耐汗性に優れ、染色された毛髪の褪色を効果的に抑制することのできる染毛用染料および染毛用組成物に関する。
【背景技術】
【０００２】
近年、幅広い年代で、黒髪や白髪を染毛することで様々な髪色を楽しむ人が増えており、染毛剤として、ヘアカラー（「ヘアダイ」という場合もある）、ヘアマニキュア、ヘアカラートリートメント、カラーリンスなどが、数多く販売されている。染毛処理では、染毛力が高く、色持ちが良好な酸化染料を用いた酸化染毛剤（永久染毛剤）が主として利用されてきたが、毛髪損傷やアレルギーなどの皮膚刺激が起きやすいという問題があった。このため、前記酸化染料に代えて、安全性が高い塩基性染料を用いた染毛剤が提案されている（特許文献１〜５）。
【０００３】
前記塩基性染料を用いた半永久染毛剤（ヘアカラートリートメントやカラーリンス）は、日々のシャンプー、日焼けなどの影響で、染色が褪色してしまうことが問題となっており、染色を維持するためには染毛を何度も繰り返す必要があった。染毛を繰り返すと毛髪が大きなダメージを受けるため、より褪色しやすくなる可能性があり、褪色抑制効果を有する塩基性染料などの開発が重要な課題となっている。
【先行技術文献】
【特許文献】
【０００４】
【特許文献１】特開２００４−２６９４００号公報
【特許文献２】特開２０１０−１２７８号公報
【特許文献３】特開２０１７−８８５０２号公報
【特許文献４】国際公開第２０１３／１９０７７４号
【特許文献５】国際公開第２０１４／２０３７７１号
【発明の概要】
【発明が解決しようとする課題】
【０００５】
本発明が解決しようとする課題は、染毛力に優れ、水溶性や泡立ちが良好で、洗浄時および乾燥後の指通りを保持しながら、耐汗性に優れ、染色された毛髪の褪色を抑制する染毛用染料および該染毛用組成物を提供することである。
【課題を解決するための手段】
【０００６】
本発明は、上記課題を解決するために鋭意検討した結果得られたものであり、以下を要旨とするものであり、以下の内容で構成されている。
【０００７】
１．下記一般式（１）で表される化合物。
【０００８】
【化１】
2020033495.tif 000002
【０００９】
［式中、Ｘは、置換基を有していてもよい炭素原子数０〜２０のアミノ基を
少なくとも１個含有する塩基性染料を表し、
Ｚは、アミノ酸を含有する非発色アニオンを表す。］
【００１０】
２．前記一般式（１）において、Ｘが、下記一般式（２）で表される塩基性染料である化合物。
【００１１】
【化２】
2020033495.tif 000003
【００１２】
［式中、Ｒ１およびＲ２は、それぞれ独立に、
置換基を有していてもよい炭素原子数０〜２０のアミノ基、
置換基を有していてもよい炭素原子数２〜２０の直鎖状もしくは分岐状のアルケニル基、
置換基を有していてもよい炭素原子数６〜３０の芳香族炭化水素基、または
置換基を有していてもよい炭素原子数２〜３０の複素環基を表す。］
【００１３】
３．前記一般式（１）において、Ｘが、下記一般式（３）で表される塩基性染料である化合物。
【００１４】
【化３】
2020033495.tif 000004
【００１５】
［式中、Ｒ３〜Ｒ１８は、それぞれ独立に、―Ｈ、ハロゲン原子、―ＮＯ２、―ＮＯ、―ＣＮ、―ＯＨ、
置換基を有していてもよい炭素原子数０〜２０のアミノ基、
置換基を有していてもよい炭素原子数２〜２０の直鎖状もしくは分岐状のアルケニル基、
置換基を有していてもよい炭素原子数１〜２０の直鎖状もしくは分岐状のアルキル基、
置換基を有していてもよい炭素原子数３〜２０のシクロアルキル基、
置換基を有していてもよい炭素原子数１〜２０の直鎖状もしくは分岐状のアルコキシ基、
置換基を有していてもよい炭素原子数３〜２０のシクロアルコキシ基、
置換基を有していてもよい炭素原子数０〜２０のアシル基、
置換基を有していてもよい炭素原子数６〜３０の芳香族炭化水素基、または
置換基を有していてもよい炭素原子数２〜３０の複素環基を表し、
Ｒ３〜Ｒ１８は、隣り合う基同士で互いに結合して環を形成していてもよい。］
【００１６】
４．前記一般式（１）において、Ｘが、下記一般式（４）で表される塩基性染料である化合物。
【００１７】
【化４】
2020033495.tif 000005
【００１８】
［式中、Ｒ１９〜Ｒ２７は、それぞれ独立に、―Ｈ、ハロゲン原子、―ＮＯ２、―ＮＯ、―ＣＮ、―ＯＨ、
置換基を有していてもよい炭素原子数０〜２０のアミノ基、
置換基を有していてもよい炭素原子数２〜２０の直鎖状もしくは分岐状のアルケニル基、
置換基を有していてもよい炭素原子数１〜２０の直鎖状もしくは分岐状のアルキル基、
置換基を有していてもよい炭素原子数３〜２０のシクロアルキル基、
置換基を有していてもよい炭素原子数１〜２０の直鎖状もしくは分岐状のアルコキシ基、
置換基を有していてもよい炭素原子数３〜２０のシクロアルコキシ基、
置換基を有していてもよい炭素原子数１〜２０のアシル基、
置換基を有していてもよい炭素原子数６〜３０の芳香族炭化水素基、または
置換基を有していてもよい炭素原子数２〜３０の複素環基を表し、
Ｒ１９〜Ｒ２３、および、Ｒ２４〜Ｒ２７は隣り合う基同士で互いに結合して環を形成していてもよい。］
【００１９】
５．前記一般式（１）において、Ｘが、下記一般式（５）で表される塩基性染料である化合物。
【００２０】
【化５】
2020033495.tif 000006
【００２１】
［式中、Ｒ２８〜Ｒ３０は、それぞれ独立に、
置換基を有していてもよい炭素原子数０〜２０のアミノ基、
置換基を有していてもよい炭素原子数２〜２０の直鎖状もしくは分岐状のアルケニル基、
置換基を有していてもよい炭素原子数１〜２０の直鎖状もしくは分岐状のアルキル基、
置換基を有していてもよい炭素原子数１〜２０のシクロアルキル基、
置換基を有していてもよい炭素原子数１〜２０の直鎖状もしくは分岐状のアルコキシ基、
置換基を有していてもよい炭素原子数３〜２０のシクロアルコキシ基、
置換基を有していてもよい炭素原子数１〜２０のアシル基、
置換基を有していてもよい炭素原子数６〜３０の芳香族炭化水素基、または
置換基を有していてもよい炭素原子数２〜３０の複素環基を表し、
Ｒ２９とＲ３０は互いに結合して環を形成していてもよい。］
【００２２】
６．前記一般式（１）において、Ｚで表されるアミノ酸含有非発色アニオンが、
アミノ酸系アニオン界面活性剤である化合物。
【００２３】
７．前記化合物を含有する染毛用染料。
【００２４】
８．前記染毛用染料と、
湿潤剤、膨潤剤、浸透剤、溶剤、ｐＨ調整剤、界面活性剤、香料、および、増粘剤からなる群より選ばれる少なくとも１種の助剤と、
水と、を含有する染毛用組成物。
【発明の効果】
【００２５】
本発明に係る化合物、染毛用染料によれば、染毛力に優れ、水溶解性や泡立ちが良好で、洗浄時および乾燥後に毛髪のパサツキがなく、毛髪のムラがなく、指通りを保持しながら、耐汗性に優れ、染色された毛髪の褪色を効果的に抑制する染毛用組成物を提供することができる。
【発明を実施するための形態】
【００２６】
以下、本発明の実施の形態について詳細に説明する。なお、本発明は、以下の実施形態に限定されるものではなく、その要旨の範囲内で種々変形して実施することができる。最初に、前記一般式（１）で表される化合物について、具体的に説明するが、本発明は、これらに限定されない。
【００２７】
一般式（１）において、「Ｘ」で表される「置換基を有していてもよい炭素原子数０〜２０のアミノ基を少なくとも１個含有する塩基性染料」における「塩基性染料」は、カチオン染料とも表され、前記塩基性染料は、分子構造中に塩基性（カチオン性）を示すオニオム基を有する化合物からなる染料を表す。「Ｘ」で表される染料分子に含まれるオニオム基の例としては、アンモニウム基（―ＮＨ３＋）、ホスホニウム基（―ＰＨ３＋）、オキソニウム基（―ＯＨ２＋）、スルホニウム基（―ＳＨ２＋）、イミニウム基（＝ＮＨ２＋）、ニトリリウム基（―Ｃ≡ＮＨ＋）などがあげられ、代表的なものは、下記の第四級アンモニウム基に関する基を有する。これらの基における「―Ｈ」の部分は、置換基を有していてもよい炭素原子数１〜２０の直鎖状もしくは分岐状のアルキル基もしくは芳香族炭化水素基などの他の基に置換されていてもよく、これらの基は１つの染料分子の中に１個でも複数含まれていてもよい。また、これらの塩基性染料「Ｘ」は、水溶性染料であることが好ましい。
【００２８】
一般式（１）において、「Ｘ」で表される「置換基を有していてもよい炭素原子数０〜２０のアミノ基を少なくとも１個有する塩基性染料」における「アミノ基」としては、第四級アンモニウム基（―Ｎ＋ＲＲ’Ｒ’’  Ｒ、Ｒ’およびＲ’’はＨまたは任意の置換基）、「＝Ｎ＋＜」もしくは「＝Ｎ＋ＲＲ’」（Ｒ、Ｒ’はＨまたは任意の置換基）、無置換アミノ基（―ＮＨ２）、一置換アミノ基（―ＮＨＲ  Ｒは任意の置換基）または二置換アミノ基（―ＮＨＲＲ’  ＲおよびＲ’は任意の置換基）があげられる。ただし、Ｘスルホン酸基（―ＳＯ３Ｈ）、カルボキシル基（―ＣＯＯＨ）、リン酸基（―Ｏ―ＰＯ（ＯＨ）２）、ヒドロキサム酸基（―ＣＯ―ＮＨ―ＯＨ）、ホスホン酸基（―ＰＯ（ＯＨ）２）、ホウ酸基（―Ｏ―Ｂ（ＯＨ）２）、ホスフィン酸基（―Ｏ―ＰＯＨ２）、シラノール基（―ＳｉＨ２―ＯＨまたは―Ｓｉ（ＯＨ）３）などの酸性基を含まない塩基性染料であることが好ましい。
【００２９】
一般式（１）において、「Ｚ」は、「アミノ酸を含有する非発色アニオン」を表す。一般式（１）における「Ｚ」は、前記「Ｘ」の対イオンであり、一般式（１）で表される化合物（錯体）を形成することができる。本発明における「アミノ酸を含有する非発色アニオン」とは、「アミノ酸」または「アミノ酸」の構造を含有しアニオンになることのできる化合物を意味する。一般にアミノ酸は、アミノ基（―ＮＲＲ’  ＲおよびＲ’はＨまたは同一でも異なってもよい任意の基を表す）およびカルボキシル基（―ＣＯＯＨ、―ＣＯＯ−）を有する化合物である。具体的なアミノ酸としては、グリシン、アラニン、バリン、ロイシン、イソロイシン、セリン、トレオニン、システイン、シスチン、メチオニン、アスパラギン酸、グルタミン酸、アスパラギン、グルタミン、リシン、アルギニン、フェニルアラニン、チロシン、トリプトファン、ヒスチジンが主なα−アミノ酸としてあげられるが、本発明における「アミノ酸を含有する非発色アニオン」は、分子構造中にこれらのアミノ酸を含有していてもよく、したがって、アミノ酸中のアミノ基などが置換された構造を有していてもよい。
【００３０】
一般式（１）中の「Ｚ」において、前記したアミノ基およびカルボキシル基は１個ずつであっても複数であってもよい。「Ｚ」で表される「アミノ酸を含有する非発色アニオン」が「アニオン」の状態である場合、「Ｚ」は、カチオン「Ｘ」と対になり錯体を形成するアニオンである。したがって、「Ｘ」の価数および「Ｚ」の価数は等しいことが好ましく、それぞれ１価または２価であることがより好ましく、それぞれ１価であることが特に好ましい。
【００３１】
一般式（１）で表される（Ｘ）（Ｚ）において、一般式（１）全体が中性となるように、「Ｘ」および「Ｚ」が、それぞれ１種類であっても複数が混合したものでもよいが、Ｘの種類は１種類であるのが好ましく、同様に、「Ｚ」の種類は１種類であるのが好ましい。
【００３２】
一般式（１）において、「Ｘ」は、市販の塩基性染料を使用することができる。また、一般式（１）において、「Ｘ」は、前記一般式（２）〜（５）のいずれか１種で表される化合物であることが好ましい。
【００３３】
一般式（１）において、「Ｘ」中に含まれ、または、Ｒ１〜Ｒ３０で表される、「置換基を有していてもよい炭素原子数０〜２０のアミノ基」としては、―ＮＨ２、エチルアミノ基、アセチルアミノ基、フェニルアミノ基などの一置換アミノ基、ジエチルアミノ基、ジフェニルアミノ基、アセチルフェニルアミノ基などの二置換アミノ基、などがあげられる。また、これらのアミノ基にさらに基が結合した、トリメチルアミノ（もしくはトリメチルアンモニオ）基、トリエチルアミノ（もしくはトリエチルアンモニオ）基などのトリアルキルアミノ（トリアルキルアンモニオ）基、トリフェニルアミノ（もしくはトリメチルアンモニオ）基などの置換基を有していてもよい第四級アンモニウム基も「置換基を有していてもよい炭素原子数０〜２０のアミノ基」に含まれるものとし、これらの置換基は同一であっても互いに異なっていてもよい。
【００３４】
一般式（１）において、Ｒ１〜Ｒ３０で表される「置換基を有していてもよい炭素原子数２〜２０の直鎖状もしくは分岐状のアルケニル基」における「炭素原子数２〜２０の直鎖状もしくは分岐状のアルケニル基」としては、具体的に、ビニル基、アリル基、イソプロペニル基、２−ブテニル基、１−ヘキセニル基、または、これらのアルケニル基が複数結合した直鎖状もしくは分岐状の基があげられる。
【００３５】
一般式（１）において、Ｒ１〜Ｒ３０で表される「置換基を有していてもよい炭素原子数６〜３０の芳香族炭化水素基」における「炭素原子数６〜３０の芳香族炭化水素基」としては、具体的に、フェニル基、ビフェニリル基、ターフェニリル基、テトラキスフェニル基、スチリル基、ナフチル基、アントリル基、アセナフテニル基、フェナントリル基、フルオレニル基、インデニル基、ピレニル基、トリフェニレニル基、などがあげられ、アシル基やアミノ基を介していてもよい。ここで、本発明の「芳香族炭化水素基」は、芳香族炭化水素基および縮合多環芳香族基を表すものとする。
【００３６】
一般式（１）において、Ｒ１〜Ｒ３０で表される「置換基を有していてもよい炭素原子数２〜３０の複素環基」における「炭素原子数２〜３０の複素環基」としては、具体的に、トリアジニル基、ピリジル基、ピリミジニル基、イミダゾリル基、フラニル基、ピロリル基、チエニル基、キノリル基、イソキノリル基、ベンゾフラニル基、ベンゾチエニル基、インドリル基、カルバゾリル基、カルボリニル基、ピリドインドリル基、オキサゾリル基、ベンゾオキサゾリル基、チアゾリル基、ベンゾチアゾリル基、キノキサリル基、ベンゾイミダゾリル基、ピラゾリル基、ジベンゾフラニル基、ジベンゾチエニル基、ナフチリジニル基、フェナントロリニル基、アクリジニル基、ヒダントイン基などがあげられ、アシル基やアミノ基を介して結合していてもよい。
【００３７】
一般式（３）および（４）において、Ｒ３〜Ｒ２７で表される「ハロゲン原子」としては、フッ素原子、塩素原子、臭素原子、ヨウ素原子などがあげられる。本発明において、「ハロゲン原子」としては、フッ素原子または塩素原子が好ましい。
【００３８】
一般式（３）〜（５）において、Ｒ３〜Ｒ３０で表される「置換基を有していてもよい炭素原子数１〜２０の直鎖状もしくは分岐状のアルキル基」における「炭素原子数１〜２０の直鎖状もしくは分岐状のアルキル基」としては、具体的に、メチル基、エチル基、ｎ−プロピル基、ブチル基、ペンチル基、ヘキシル基、ヘプチル基、オクチル基、ノニル基、デシル基などの直鎖状のアルキル基；イソプロピル基、イソブチル基、ｓ−ブチル基、ｔ−ブチル基、イソオクチル基、ｔ−オクチル基などの分岐状のアルキル基があげられる。
【００３９】
一般式（３）〜（５）において、Ｒ３〜Ｒ３０で表される「置換基を有していてもよい炭素原子数３〜２０のシクロアルキル基」における「炭素原子数３〜２０のシクロアルキル基」としては、具体的に、シクロプロピル基、シクロブチル基、シクロペンチル基、シクロヘキシル基、シクロヘプチル基、シクロオクチル基、シクロデシル基、シクロドデシル基などがあげられる。
【００４０】
一般式（３）〜（５）において、Ｒ３〜Ｒ３０で表される「置換基を有していてもよい炭素原子数１〜２０の直鎖状もしくは分岐状のアルコキシ基」における「炭素原子数１〜２０の直鎖状もしくは分岐状のアルコキシ基」としては、具体的に、メトキシ基、エトキシ基、プロポキシ基、ｎ−ブトキシ基、ｎ−ペンチルオキシ基、ｎ−ヘキシルオキシ基、ヘプチルオキシ基、オクチルオキシ基、ノニルオキシ基、デシルオキシ基などの直鎖状のアルコキシ基；イソプロポキシ基、イソブトキシ基、ｓ−ブトキシ基、ｔ−ブトキシ基、イソオクチルオキシ基、ｔ−オクチルオキシ基などの分岐状のアルコキシ基があげられる。
【００４１】
一般式（３）〜（５）において、Ｒ３〜Ｒ３０で表される「置換基を有していてもよい炭素原子数３〜２０のシクロアルコキシ基」における「炭素原子数３〜２０のシクロアルコキシ基」としては、具体的に、シクロプロポキシ基、シクロブトキシ基、シクロペンチルオキシ基、シクロヘキシルオキシ基などがあげられる。
【００４２】
一般式（３）〜（５）において、Ｒ３〜Ｒ３０で表される「置換基を有していてもよい炭素原子数１〜２０のアシル基」における「炭素原子数１〜２０のアシル基」としては、具体的に、ホルミル基、アセチル基、プロピオニル基、アクリリル基、ベンゾイル基などがあげられる。
【００４３】
一般式（１）のＸ中の「置換基を有する炭素原子数０〜２０のアミノ基」における「置換基」、または、一般式（２）〜（５）においてＲ１〜Ｒ３０で表される
「置換基を有する炭素原子数０〜２０のアミノ基」、
「置換基を有する炭素原子数２〜２０の直鎖状もしくは分岐状のアルケニル基」、
「置換基を有する炭素原子数１〜２０の直鎖状もしくは分岐状のアルキル基」、
「置換基を有する炭素原子数３〜２０のシクロアルキル基」、
「置換基を有する炭素原子数１〜２０の直鎖状もしくは分岐状のアルコキシ基」、
「置換基を有する炭素原子数３〜２０のシクロアルコキシ基」、
「置換基を有する炭素原子数１〜２０のアシル基」、
「置換基を有する炭素原子数６〜３０の芳香族炭化水素基」、または
「置換基を有する環形成原子数５〜３０の複素環基」における「置換基」としては、
具体的に、ニトロ基（―ＮＯ２）、ニトロソ基（―ＮＯ）、シアノ基（―ＣＮ）、水酸基（―ＯＨ）；
フッ素原子、塩素原子、臭素原子、ヨウ素原子などのハロゲン原子；
無置換アミノ基；メチルアミノ基、ジメチルアミノ基、ジエチルアミノ基、エチルメチルアミノ基、メチルプロピルアミノ基、ジ−ｔ−ブチルアミノ基、ジフェニルアミノ基などの、炭素原子数１〜２０の直鎖状もしくは分岐状のアルキル基、または炭素原子数６〜３０のアリール基を有する一置換もしくは二置換アミノ基；
スルホンアミド基（―Ｓ（＝Ｏ）２―ＮＲＲ’）（基中の「―ＮＲＲ’」は、無置換アミノ基；メチルアミノ基、ジメチルアミノ基、ジエチルアミノ基、エチルメチルアミノ基、メチルプロピルアミノ基、ジ−ｔ−ブチルアミノ基、ジフェニルアミノ基などの、炭素原子数１〜２０の直鎖状もしくは分岐状のアルキル基、または炭素原子数６〜３０のアリール基を有する一置換もしくは二置換アミノ基）；
メチル基、エチル基、ｎ−プロピル基、イソプロピル基、ｎ−ブチル基、ｓ−ブチル基、ｔ−ブチル基、ペンチル基、ｎ−ヘキシル基、イソヘキシル基、ヘプチル基、ｎ−オクチル基、ｔ−オクチル基、イソオクチル基、ノニル基、デシル基などの炭素原子数１〜２０の直鎖状もしくは分岐状のアルキル基;
シクロプロピル基、シクロブチル基、シクロペンチル基、シクロヘキシル基、シクロヘプチル基、シクロオクチル基、シクロデシル基、シクロドデシル基などの炭素原子数３〜２０のシクロアルキル基；
メトキシ基、エトキシ基、プロポキシ基、ｔ−ブトキシ基、ｎ−ペンチルオキシ基、ｎ−ヘキシルオキシ基などの炭素原子数１〜２０の直鎖状もしくは分岐状のアルコキシ基；
シクロプロポキシ基、シクロブトキシ基、シクロペンチルオキシ基、シクロヘキシルオキシ基などの炭素原子数３〜２０のシクロアルコキシ基；
ビニル基、１−プロペニル基、アリル基、１−ブテニル基、２−ブテニル基、１−ペンテニル基、１−ヘキセニル基、イソプロペニル基、イソブテニル基、またはこれらのアルケニル基が複数結合した炭素原子数２〜２０の直鎖状もしくは分岐状のアルケニル基；
ホルミル基、アセチル基、プロピオニル基、アクリリル基、ベンゾイル基などの炭素原子数１〜２０のアシル基；
フェニル基、ナフチル基、アントリル基、フェナントリル基、ピレニル基、トリフェニレニル基、インデニル基、フルオレニル基、スチリル基などの炭素原子数６〜３０の芳香族炭化水素基；
ピリジル基、ピリミジニル基、トリアジニル基、ピロリル基、イミダゾリル基、ピラゾリル基、トリアゾリル基、ピラジニル基、ピリダジニル基、ピペリジニル基、ピペラジニル基、キノリル基、イソキノリル基、ナフチリジニル基、インドリル基、ベンゾイミダゾリル基、カルバゾニル基、カルボリニル基、ピリドインドリル基、アクリジニル基、フェナントロリニル基、フェナントリジニル基、ヒダントイン基、フラニル基、ベンゾフラニル基、ジベンゾフラニル基、ピラニル基、クマリニル基、イソベンゾフラニル基、キサンテニル基、オキサントレニル基、ピラノニル基、チエニル基、チオピラニル基、ベンゾチエニル基、ジベンゾチエニル基、チオキサンテニル基、オキサゾリル基、ベンゾオキサゾリル基、モルホリニル基、チアゾリル基、ベンゾチアゾリル基などの炭素原子数２〜３０の複素環基；
シクロプロペニル基、シクロブテニル基、シクロペンテニル基、シクロヘキセニル基、シクロヘプテニル基、（１，３−もしくは１，４−）シクロヘキサジエニル基、１，５−シクロオクタジエニル基などの炭素原子数３〜３０の環状オレフィン基；などがあげられる。これらの「置換基」は、１つのみ含まれてもよく、複数含まれてもよく、複数含まれる場合は互いに同一でも異なっていてもよい。また、これら「置換基」は前記例示した置換基を有していてもよく、さらに、これらの置換基同士が単結合、置換もしくは無置換のメチレン基、酸素原子または硫黄原子を介して互いに結合して環を形成していてもよい。
【００４４】
一般式（２）において、Ｒ１またはＲ２としては、
置換基を有していてもよい炭素原子数６〜３０の芳香族炭化水素基、または、
置換基を有していてもよい炭素原子数２〜３０の複素環基が好ましい。
【００４５】
一般式（３）において、Ｒ３〜Ｒ１８としては、―Ｈ、ハロゲン原子、置換基を有していてもよい炭素原子数０〜２０のアミノ基、または、置換基を有していてもよい炭素原子数１〜２０の直鎖状もしくは分岐状のアルキル基が好ましい。
【００４６】
一般式（３）において、Ｒ３〜Ｒ１８は、隣り合う基同士で互いに結合して環を形成していてもよく、環を形成する場合、Ｒ３とＲ４、Ｒ５とＲ６、Ｒ７〜Ｒ１１、Ｒ１２〜Ｒ１６、Ｒ１７とＲ１８が互いに結合して環を形成するのが好ましく、環が５員環または６員環であるのが好ましい。
【００４７】
一般式（４）において、Ｒ３〜Ｒ１８としては、―Ｈ、
置換基を有していてもよい炭素原子数０〜２０のアミノ基、または
置換基を有していてもよい炭素原子数６〜３０の芳香族炭化水素基が好ましい。
【００４８】
一般式（４）において、Ｒ１９〜Ｒ２７は、隣り合う基同士で互いに結合して環を形成していてもよく、環を形成する場合、Ｒ２０とＲ２１、Ｒ２２とＲ２３、Ｒ２４〜Ｒ２７が互いに結合して環を形成するのが好ましく、環は５員環または６員環が好ましい。
【００４９】
一般式（５）において、Ｒ２８〜Ｒ３０としては、
置換基を有していてもよい炭素原子数１〜２０の直鎖状もしくは分岐状のアルキル基、
置換基を有していてもよい炭素原子数６〜３０の芳香族炭化水素基、または、
置換基を有していてもよい炭素原子数２〜３０の複素環基が好ましい。
【００５０】
一般式（５）において、Ｒ２９とＲ３０は、互いに結合して環を形成していてもよく、環を形成する場合、５員環または６員環が好ましい。
【００５１】
一般式（１）において、「Ｚ」で表される「アミノ酸を含有する非発色アニオン」は、アミノ酸を分子構造内に含有する、アミノ酸系界面活性剤であることが好ましく、したがって、アミノ酸系アニオン界面活性剤であるのが好ましい。具体的には、
Ｎ−アシル−Ｎ−アルキルグリシン塩（Ｎ−ココイル−Ｎ−メチルグリシンなどのＮ−Ｃ８〜Ｃ２２アルカノイル−Ｎ−アルキルグリシン塩）、
Ｎ−アシル−Ｎ−アルキルグルタミン酸塩（Ｎ−ココイル−Ｎ−メチルグルタミン酸塩などのＮ−Ｃ８〜Ｃ２２アルカノイル−Ｎ−アルキルグルタミン酸塩）、
Ｎ−アシル−Ｎ−アルキルアラニン塩（Ｎ−ココイル−Ｎ−メチルアラニン塩、Ｎ−ラウロイル−Ｎ−メチル−β−アラニン塩などのＮ−Ｃ８〜Ｃ２２アルカノイル−Ｎ−アルキルアラニン塩）、
Ｎ−アシル−Ｎ−アルキルアスパラギン酸塩（Ｎ−ココイル−Ｎ−メチルアスパラギン酸塩などのＮ−Ｃ８〜Ｃ２２アルカノイル−Ｎ−アルキルアスパラギン酸塩）、
Ｎ−アシルグリシン塩（Ｎ−ココイルグリシン塩などのＮ−Ｃ８〜Ｃ２２アルカノイルグリシン塩）、
Ｎ−アシルグルタミン酸塩（ラウロイルグルタミン酸ナトリウム、Ｎ−ココイルグルタミン酸塩などのＮ−Ｃ８〜Ｃ２２アルカノイルグルタミン酸塩）、
Ｎ−アシルアラニン塩（Ｎ−ココイルアラニン塩などのＮ−Ｃ８〜Ｃ２２アルカノイルアラニン塩）、
Ｎ−アシルアスパラギン酸塩（Ｎ−ラウロイルアスパラギン酸塩などのＮ−Ｃ８〜Ｃ２２アルカノイルアスパラギン酸塩）、
Ｎ−アシルサルコシン塩（Ｎ−ココイルサルコシン塩などのＮ−Ｃ８〜Ｃ２２アルカノイルサルコシン塩）などのアミノ酸系アニオン（陰イオン）界面活性剤、があげられる。これらの塩としては、例えば、リチウム、ナトリウム、カリウム、セシウムなどのアルカリ金属との塩、トリエタノールアミンなどのトリアルキルアミンとの塩、アルギニンなどの塩性アミノ酸との塩などがあげられる。
【００５２】
一般式（１）において、「Ｚ」で表される、アミノ酸系アニオン性界面活性剤としては、Ｎ−アシル−Ｎ−アルキルグルタミン酸塩、Ｎ−ラウロイル−Ｎ−メチル−β−アラニン塩などのＮ−アシル−Ｎ−アルキルアラニン塩、ラウロイルグルタミン酸ナトリウムなどのＮ−アシルグルタミン酸塩、Ｎ−アシルアラニン塩が好ましい。これらのアミノ酸系アニオン界面活性剤において、「Ｎ−アルキル」基の部分が含まれる場合のアルキル基としては、メチル基、エチル基、プロピル基などがあげられ、メチル基が好ましい。また、これらのアミノ酸系アニオン界面活性剤において、「アシル」基としては、例えば、ココイル基、ラウロイル基、ミリストイル基、パルミトイル基、ステアロイル基などがあげられ、ココイル基またはラウロイル基が好ましい。
【００５３】
一般式（１）で表される本発明の化合物として好ましい化合物の具体例を以下に示すが、本発明はこれらの化合物に限定されない。なお、下記構造式では、水素原子を一部省略して記載している、また、立体異性体が存在する場合であっても、その平面構造式を記載している。
【００５４】
【化６】
2020033495.tif 000007
【００５５】
【化７】
2020033495.tif 000008
【００５６】
【化８】
2020033495.tif 000009
【００５７】
【化９】
2020033495.tif 000010
【００５８】
【化１０】
2020033495.tif 000011
【００５９】
【化１１】
2020033495.tif 000012
【００６０】
【化１２】
2020033495.tif 000013
【００６１】
【化１３】
2020033495.tif 000014
【００６２】
【化１４】
2020033495.tif 000015
【００６３】
【化１５】
2020033495.tif 000016
【００６４】
【化１６】
2020033495.tif 000017
【００６５】
【化１７】
2020033495.tif 000018
【００６６】
前記一般式（１）で表される化合物は、例えば、前記一般式（１）中の（Ｘ）で表される塩基性染料と、（Ｚ）で表されるアミノ酸のナトリウム塩などの塩とを、出発原料として合成することができる。具体的には、前記塩基性染料を水や有機溶媒などに溶解し、適切な温度条件下で、アミノ酸ナトリウム塩などを添加し反応させ、得られた固体を適した溶媒、温度などの条件で精製することによって、本発明の染毛用染料（アミノ酸を対イオンとする染料）である化合物を得ることができる。
【００６７】
一般式（１）で表される本発明の化合物は、カラムクロマトグラフィーによる精製；シリカゲル、活性炭、活性白土などによる吸着精製；溶媒による再結晶や晶析法などの公知の方法で精製することができる。また、化合物の同定や物性評価分析は、紫外可視吸収スペクトル分析（ＵＶ−Ｖｉｓ）、熱重量測定−示唆熱分析（ＴＧ−ＤＴＡ）、ガスクロマトグラフィー分析（ＧＣ）、核磁気共鳴分析（ＮＭＲ）分析などを行うことができる。
【００６８】
本発明に係る化合物は、いわゆる染毛料（ｈａｉｒ  ｃｏｌｏｒａｎｔｓ）としての形態で使用することが好ましい。一般式（１）で表される化合物は、染毛用染料として使用することが好ましく、他の染料や添加剤、助剤などの成分などを混合して、一般式（１）で表される化合物を含有する染毛用染料として使用することができる。本発明の染毛用染料に適した実施形態は染毛用組成物であり、
一般式（１）で表される化合物を含有する染毛用染料と、
湿潤剤、膨潤剤、浸透剤、溶剤、ｐＨ調整剤、界面活性剤、香料、および、増粘剤からなる群より選ばれる少なくとも１種の助剤と、
水と、を含有する。
【００６９】
湿潤剤としては、グリセリン、プロピレングリコール、ソルビトール類、１，３−ブチレングリコール、ポリエチレングリコール類などがあげられる。湿潤剤を使用する場合、その含有量は、染毛用組成物の全量基準で、０．１〜２０質量％が好ましく、０．５〜１０質量％がより好ましい。
【００７０】
膨潤剤としては、アンモニア（水酸化アンモニウム）またはモノエタノールアミン（ＭＥＡ）を含むアルカリ水溶液があげられる。膨潤剤を使用する場合、その含有量は、染毛用組成物の全量基準で、０．１〜２０質量％が好ましく、０．５〜１０質量％がより好ましい。
【００７１】
また、浸透剤、溶剤としては、エタノール、１−プロパノール、２−プロパノール、１−ブタノール、２−ブタノール、ブトキシエタノールなどの炭素原子数１〜６のアルキル基を有する１価アルコール；プロパンジオール、ブタンジオール、ペンタンジオール、ヘキサンジオール、ヘキサントリオール、ヘプタンジオール、ヘプタントリオール、オクタンジオール、オクタントリオール、イソプレングリコール、プロピレングリコール、グリセリン、ジエチレングリコールモノエチルエーテルなどの炭素数３〜８の多価アルコールまたはそのエーテル；Ｎ−メチル−２−ピロリドン、Ｎ−エチル−２−ピロリドン、Ｎ−プロピル−２−ピロリドン、Ｎ−ブチル−２−ピロリドン、Ｎ−シクロヘキシル−２−ピロリドンなどの常温（２５±２℃）で液状のＮ−アルキルピロリドン；エチレンカーボネート、プロピレンカーボネート等のアルキレンカーボネート（低級アルキレンカーボネート）；ベンジルオキシエトキシエタノール、ベンジルアルコール、ベンジルオキシエタノール、シンナミルアルコール、ｐ−アニシルアルコール、ｐ−メチルベンジルアルコール、フェノキシエタノール、フェノキシイソプロパノール、２−ベンジルエタノール、β−フェニルエチルアルコール等の芳香族アルコールがあげられる。これらの中でも、芳香族アルコール、又はＮ−アルキルピロリドンが好ましく、ベンジルアルコール、ベンジルオキシエトキシエタノール、ベンジルオキシエタノールがより好ましい。浸透剤、溶剤を使用する場合、その含有量は、染毛用組成物の全量基準で、２〜４０質量％が好ましく、５〜２０質量％がより好ましい。
【００７２】
ｐＨ調整剤としては、リン酸、乳酸−乳酸ナトリウム、クエン酸−クエン酸ナトリウム等の酸、アンモニア水、水酸化ナトリウム、水酸化カリウム、炭酸ナトリウム等の塩基が挙げられる。ｐＨ調整剤を使用する場合、その含有量は、染毛用組成物の全量基準で、０．１〜１０質量％が好ましく、０．５〜５質量％がより好ましい。
【００７３】
界面活性剤としては、カチオン界面活性剤またはノニオン界面活性剤が主に使用される。具体的には、ポリシロキサンなどのシリコーン化合物、ポリオキシエチレンアルキルエーテル、ポリオキシエチレン脂肪酸エステル、ポリグリセリン脂肪酸エステル、脂肪族アミンおよびその第四級アンモニウム塩（トリメチルステアリルアンモニウムクロリドなど）、ソルビトールアルキルエーテルなどの糖アルコールエーテル類、ポリオキシエチレンソルビタン脂肪酸エステルなどがあげられるが、これらに限定されない。これらの中でも、ポリオキシエチレンソルビタン脂肪酸エステルが好ましい。ポリオキシエチレンソルビタン脂肪酸エステルを用いることにより、皮膚への汚染低減効果（皮膚汚染防止性能）がさらに向上する。
【００７４】
ポリオキシエチレンソルビタン脂肪酸エステルとしては、ポリオキシエチレンソルビタンモノラウレート、ポリオキシエチレンソルビタンモノパルミテート、ポリオキシエチレンソルビタンモノステアレート及びポリオキシエチレンソルビタンモノオレートからなる群より選ばれる少なくとも１種が好ましい。
【００７５】
界面活性剤を使用する場合、その含有量は、皮膚への汚染を低減させる観点から、染毛用組成物の全量基準で、０．１〜２０質量％が好ましく、０．５〜１０質量％がより好ましい。
【００７６】
香料としては、バニリン、シンナミックアルコール、ヘリオトロピン、クマリン、２−メチル−３−（３，４−メチレンジオキシ−フェニル）−プロパナール、４−（４−ヒドロキシフェニル）−２−ブタノン、ベンズアルデヒド、アニスアルコール、３，４−ジメトキシベンズアルデヒド、酢酸ヘリオトロピル、フェニルアセトアルデヒドジメチルアセタール、フェノキシエチルアルコール、フェニルアセトアルデヒドグリセリルアセタール、フラネオール、シュガーラクトン、マルトール、エチルマルトール、エチルジグリコール、ベンジルアセテート、リナロール、カンファー、ターピネオール、シトロネロール、ゲラニオール、２，６−ノナジエナール、メチルオクチルカルボネート、３，７−ジメチル−２，６−オクタジエナール、ノナナール等が挙げられる。香料を使用する場合、その含有量は、染毛用組成物の全量基準で、０．００００１〜２質量％が好ましい。
【００７７】
増粘剤としては、グアーガム及びその誘導体、ヒドロキシエチルセルロース、キサンタンガム、コラーゲン、ゼラチン、カルボキシメチルセルロースナトリウム塩、カルボポル（登録商標、Ｃａｒｂｏｐｏｌ）、ナトリウムアルギネート、ガムアラビック（Ｇｕｍ  ａｒａｂｉｃ）、セルロース誘導体及びポリ（エチレンオキシド）由来の増粘剤が挙げられる。これらの増粘剤には、染毛用組成物を高粘度化し、取扱いの容易な形態であるジェル状にする効果がある。増粘剤を使用する場合、その含有量は、染毛用組成物の全量基準で、０．１〜２０質量％が好ましく、０．５〜１０質量％がより好ましい。
【００７８】
本発明の染毛用組成物に用いる水は特に限定されないが、イオン交換水、精製水、浄水などを使用することができる。
【００７９】
本発明の、一般式（１）で表される化合物を含む染毛用染料は、それ自身染毛用染料として染毛力や堅牢性に優れ、毛髪を均一に染めることができるものである。また、一般式（１）で表される化合物を含む染毛用染料と、他色系毛髪用染料を組み合わせることにより、黄色〜茶色〜黒色系への調色も可能である。
【００８０】
組み合わせる塩基性染料としては、例えば、分子内にアミノ基または置換アミノ基を有する直接染料があげられ、具体的には、赤色２１３号（Ｃ．Ｉ．Ｂａｓｉｃ  Ｖｉｏｌｅｔ  １０、ローダミンＢ）、赤色２１４号（Ｃ．Ｉ．Ｂａｓｉｃ  Ｖｉｏｌｅｔ、ローダミンＢアセテート）；塩基性青（Ｃ．Ｉ．Ｂａｓｉｃ  Ｂｌｕｅ）７、９、２６、７５、９９；塩基性赤（Ｃ．Ｉ．Ｂａｓｉｃ  Ｒｅｄ）２、２２、５１、７６；塩基性黄（Ｃ．Ｉ．Ｂａｓｉｃ  Ｙｅｌｌｏｗ）５７、８７；塩基性橙（Ｃ．Ｉ．Ｂａｓｉｃ  Ｏｒａｎｇｅ）３１；塩基性茶（Ｃ．Ｉ．Ｂａｓｉｃ  Ｂｒｏｗｎ）１６、１７；塩基性紫（Ｃ．Ｉ．Ｂａｓｉｃ  Ｖｉｏｌｅｔ）２、３、４、１４などがあげられる。なお、「Ｃ．Ｉ．」はカラーインデックスを意味する。
【００８１】
組み合わせるＨＣ染料としては、例えば、分子内にニトロ基を有する直接染料が挙あげられ、具体的には、Ｃ．Ｉ．ＨＣ  Ｂｌｕｅ  ２、１５；Ｃ．Ｉ．ＨＣ  Ｒｅｄ  １、３、７、１１、１３；Ｃ．Ｉ．ＨＣ  Ｙｅｌｌｏｗ  ２、４、５、９、１１、１３、Ｃ．Ｉ．ＨＣ  Ｏｒａｎｇｅ  １、２；Ｃ．Ｉ．ＨＣ  Ｖｉｏｌｅｔ  １、２；４−ヒドロキシプロピルアミノ−３−ニトロフェノールなどがあげられる。
【００８２】
本発明の染毛用組成物の実施形態においては、一般式（１）で表される化合物を含む染毛用染料を、染毛用組成物の全量基準で０．００１〜５質量％とし、残部を、
湿潤剤、膨潤剤、浸透剤、溶剤、ｐＨ調整剤、界面活性剤、香料、および、増粘剤からなる群より選ばれる少なくとも１種の助剤と、
水と、を含有するものとすることが好ましい。染毛用染料の含有量が０．００１質量％未満であると、色調維持および均染性の効果が得られ難く、５質量％を超える量を添加しても、染着等の効果の向上は小さくなる。染毛用染料の含有量は、染毛用組成物の全量基準で、０．０１〜５質量％であることが好ましく、０．０５〜２質量％であることがより好ましい。
【００８３】
本発明の染毛用組成物のｐＨ値は４〜９が好ましく、５〜７がより好ましい。染毛用組成物のｐＨ値は公知の方法により調整することができるが、クエン酸一水和物やクエン酸三ナトリウム二水和物などのｐＨ調整剤を用いて行うのが好ましい。すなわち、例えばｐＨ６の染毛用組成物を調製する場合は、クエン酸一水和物およびクエン酸三ナトリウム二水和物を水に溶解し、あらかじめｐＨ６水溶液を調製した後、該水溶液中に一般式（１）で表される化合物を含む染毛料染料と、必要に応じてその他添加剤（助剤等）を添加することにより、ｐＨ６の染毛用組成物を得ることができる。
【００８４】
本発明の染毛用組成物には、本発明の効果を妨げない範囲で、公知の化粧品用成分を添加してもよい。添加可能な化粧品用成分としては、高級アルコール、ワセリン、多価アルコール、エステル類、防腐剤、殺菌剤、シリコーン誘導体、水溶性高分子などがあげられる。
【００８５】
本発明の染毛用組成物を用いる染毛方法としては、具体的には、例えば人の毛髪や家畜の毛などの染毛対象物に本発明の染毛用組成物を接触させることにより染毛することができる。染毛温度は、５〜６０℃であることが好ましく、頭皮付近で行うことを考慮すると、１５〜４５℃であることがより好ましい。染毛時間は、５〜６０分が好ましく、１０〜３０分がより好ましい。
【００８６】
染毛後は通常、水洗や乾燥などの後処理を行う。水洗は、染毛料の色が完全に溶出しなくなるまで行えばよく、例えば、５〜４０℃、５〜１５Ｌ／分の流水で、０．５〜２分間すすぐことにより行う。水洗後の乾燥は、自然乾燥（通常５〜４０℃で１０分〜１０時間）でもよく、必要に応じて熱風乾燥機（通常４０〜６０℃で１０分〜１０時間）を用いてもよい。
【００８７】
また、水洗後、ソーピングを行ってもよい。ソーピングは、例えばソーピング液（シャンプーとぬるま湯の混合液）を適量用いて、通常１５〜５０℃の温度で１〜１０分間洗浄し、ソーピング液が完全に除去されるまで水洗することにより行う。
【００８８】
以上のような形態により、本発明に係る化合物を含有する染毛用染料および染毛用組成物は、ヘアカラー、ヘアマニキュア、ヘアカラートリートメントのいずれにも優れた染着効果を発揮することができる。特に、染着力が弱いとされるヘアカラートリートメントに対しても効果を発揮することができる。
【実施例】
【００８９】
以下、実施例に基づき本発明をより詳細に説明するが、本発明は以下の実施例に限定されない。
【００９０】
＜試験検体の評価方法＞
以下の実施例および比較例において、得られた試験検体の評価は分光測色計（株式会社カラーテクノシステム、ＪＳ５５５）を用いて行った。また、染毛濃度（Ｋ／Ｓｄ）は、以下の手順に従って算出した。染毛前（白髪）および染毛後（染毛）の試験検体の各波長（λ）における反射率（Ｒλ）を分光測色計で測定し、下記Ｋｕｂｅｌｋａ−Ｍｕｎｋ式を用い、光学濃度（Ｋ／Ｓ）を算出した。染毛の光学濃度（Ｋ／Ｓ）から白髪の光学濃度（Ｋ／Ｓ）を差引いた値を染毛濃度（Ｋ／Ｓｄ）として求めた。
Ｋｕｂｅｌｋａ−Ｍｕｎｋ式：
Ｋ／Ｓ＝Σ（１−Ｒλ）２／２Ｒλ
Ｒλ：波長（λ）における反射率
λ:  ４００〜７００ｎｍ（１０ｎｍ間隔）
【００９１】
色味は、ＣＩＥ  Ｌ*ａ*ｂ*表色系を用い、分光測色計によりＬ*、ａ*およびｂ*を測定した。Ｌ*は明度であり、大きいほど着色の強度は小さい。ａ*およびｂ*は色相と彩度を示す色度である。ａ*は、赤／緑の対の軸に対応し、プラスが赤、マイナスが緑である。ｂ*は、黄／青の対の軸に対応し、プラスが黄、マイナスが青である。
【００９２】
また、染毛前および染毛後の試験検体それぞれについて色味（Ｌ*、ａ*、ｂ*）を測定し、その差ΔＬ*、Δａ*およびΔｂ*の値から、下式により色差ΔＥ*および色相差ΔＨ*を算出した。
ΔＥ*＝｛(ΔＬ*)２＋(Δａ*)２＋(Δｂ*)２｝１／２
ΔＨ*＝｛(Δａ*)２＋(Δｂ*)２｝１／２
【００９３】
耐汗性は、未試験検体に対する下記耐汗性試験検体のＫ／Ｓｄの割合（残存率％）、色差（ΔＥ*）および色相差（ΔＨ*）を求め評価した。なお、ΔＥ*、ΔＨ*は株式会社カラーテクノシステム社製分光測色計ＪＳ５５５によりＬ*、ａ*およびｂ*を測定し下記に示す式により求めた。ΔＥ*は小さい方が変退色は少なく、またΔＨ*は小さい方が色相変化は少なく、耐汗性に優れていることを示す。
ΔＥ*＝｛(ΔＬ*)２＋(Δａ*)２＋(Δｂ*)２｝１／２
ΔＨ*＝｛(Δａ*)２＋(Δｂ*)２｝１／２
【００９４】
以下、本発明の実施の形態について、実施例により具体的に説明するが、本発明は以下の実施例に限定されるものではない。
【００９５】
［合成実施例１］  化合物（Ａ−１）の合成
反応容器にＣ．Ｉ．Ｂａｓｉｃ  Ｂｌｕｅ  ７５  ５０ｇ、ＭｅＯＨ  ５００ｍＬ、水２５０ｍＬを入れ、６０℃に加熱し、Ｃ．Ｉ．Ｂａｓｉｃ  Ｂｌｕｅ  ７５を溶解した。この溶液にラウロイルグルタミン酸ナトリウム４５．７ｇを入れ、６０℃で２時間撹拌した。メタノールを減圧留去し、析出固体を水と濾別した。得られた固体を変性エタノール５００ｍＬ中で、６０℃で１時間撹拌し、ろ過により不溶分を除去し、溶媒を減圧留去する操作を２回繰り返し、下記式（Ａ−１）で表される化合物（５４．７ｇ、収率６２％）を得た。
【００９６】
【化１８】
2020033495.tif 000019
【００９７】
化合物（Ａ−１）のＮＭＲ測定を行い、下記の結果を得た。
１Ｈ  ＮＭＲ（６００ＭＨｚ，ＣＤ３ＯＤ）：δ（ｐｐｍ）＝０．８９（３Ｈ，ｔ，Ｊ＝６．９Ｈｚ），１．３６（６Ｈ，ｔ，Ｊ＝７．６Ｈｚ），１．６０−１．６２（１８Ｈ，ｍ），２．２３（２Ｈ，ｔ，Ｊ＝６．２Ｈｚ），２．２８−２．３２（２Ｈ，ｍ），３．８２（４Ｈ，ｍ），４．２６−４．２８（１Ｈ，ｍ），７．０１（１Ｈ，ｄ，Ｊ＝２．８Ｈｚ），７．０５（１Ｈ，ｄ，Ｊ＝２．８Ｈｚ），７．３１−７．３４（２Ｈ，ｍ），７．３９−７．４０（２Ｈ，ｍ），７．４８−７．５２（３Ｈ，ｍ），７．７８−７．８０（２Ｈ，ｍ）．
【００９８】
［合成実施例２］  化合物（Ａ−２）の合成
反応容器にＣ．Ｉ．Ｂａｓｉｃ  Ｒｅｄ  ５１  １０ｇと水２００ｍＬを入れ、６０℃に加熱しＣ．Ｉ．Ｂａｓｉｃ  Ｒｅｄ  ５１を溶解した。この溶液にラウロイルグルタミン酸ナトリウム１８．９ｇを入れ、６０℃で１時間撹拌した。析出した固体と溶液をろ別し、得られた固体を変性エタノール１００ｍＬ中で、６０℃で１時間撹拌後、ろ過により不溶分除去後、溶媒を減圧留去し、下記式（Ａ−２）で表される化合物（１１．８ｇ、収率５７％）を得た。
【００９９】
【化１９】
2020033495.tif 000020
【０１００】
化合物（Ａ−２）のＮＭＲ測定を行い、下記の結果を得た。
１Ｈ  ＮＭＲ（６００ＭＨｚ，ＣＤ３ＯＤ）：δ（ｐｐｍ）＝０．８９（３Ｈ，ｔ，Ｊ＝６．９Ｈｚ），１．６０−１．６２（１８Ｈ，ｍ），２．２３（２Ｈ，ｔ，Ｊ＝６．２Ｈｚ），２．２８−２．３２（２Ｈ，ｍ），３．２６（６Ｈ，ｓ），４．０４（６Ｈ，ｓ），４．２６−４．２８（１Ｈ，ｍ），６．９４（２Ｈ，ｄ，Ｊ＝８．９Ｈｚ），７．５０（２Ｈ，ｓ），７．９７（２Ｈ，ｄ，Ｊ＝８．９）．
【０１０１】
［合成実施例３］  化合物（Ａ−３）の合成
反応容器にＣ．Ｉ．Ｂａｓｉｃ  Ｖｉｏｌｅｔ  ２  １０ｇと水３００ｍＬを入れ、６０℃に加熱しＣ．Ｉ．Ｂａｓｉｃ  Ｖｉｏｌｅｔ  ２を溶解した。この溶液にラウロイルグルタミン酸ナトリウム１８．９ｇを入れ、６０℃で１時間撹拌した。溶液部分を除去し、得られた固体を変性エタノール５００ｍＬ中で、６０℃で１時間撹拌し、ろ過により不溶分除去後、溶媒を減圧留去した。得られた固体を変性エタノール１００ｍＬ中で、６０℃で１時間撹拌し、ろ過により不溶分を除去し、溶媒を減圧留去し、下記式（Ａ−３）で表される化合物（１５．９ｇ、収率８９．７％）を得た。
【０１０２】
【化２０】
2020033495.tif 000021
【０１０３】
化合物（Ａ−３）のＮＭＲ測定を行い、下記の結果を得た。
１Ｈ  ＮＭＲ（６００ＭＨｚ，ＣＤ３ＯＤ）：δ（ｐｐｍ）＝０．８９（３Ｈ，ｔ，Ｊ＝６．９Ｈｚ），１．６０−１．６２（１８Ｈ，ｍ），２．１１（９Ｈ，Ｓ），２．２３（２Ｈ，ｔ，Ｊ＝６．２），２．２８−２．３２（２Ｈ，ｍ），４．２６−４．２８（１Ｈ，ｍ），６．７８（３Ｈ，ｄ，Ｊ＝８．３Ｈｚ），６．９３（３Ｈ，ｓ），６．９９（３Ｈ，ｄ，Ｊ＝８．３Ｈｚ）．
【０１０４】
［合成実施例４］  化合物（Ａ−４）の合成
反応容器にＣ．Ｉ．ＨＣ  Ｂｌｕｅ  １５  １０ｇと水３５０ｍＬを入れ、６０℃に加熱しＣ．Ｉ．ＨＣ  Ｂｌｕｅ  １５を溶解した。この溶液にラウロイルグルタミン酸ナトリウム７．０ｇを入れ６０℃で２時間撹拌した。溶液部分を除去して得られた固体を変性エタノール２００ｍＬ中、６０℃で１時間撹拌し、ろ過により不溶分を除去し、溶媒を減圧留去した。得られた固体を変性エタノール１００ｍＬ中で、６０℃で１時間撹拌し、ろ過により不溶分を除去し、溶媒を減圧留去し、下記式（Ａ−４）で表される化合物（１０．６ｇ、収率７３％）を得た。
【０１０５】
【化２１】
2020033495.tif 000022
【０１０６】
化合物（Ａ−４）のＮＭＲ測定を行い、下記の結果を得た。
１Ｈ  ＮＭＲ（６００ＭＨｚ，ＣＤ３ＯＤ）：δ（ｐｐｍ）＝０．８９（３Ｈ，ｔ，Ｊ＝６．９Ｈｚ），１．６０−１．６２（１８Ｈ，ｍ），２．２１（１２Ｈ，ｓ），２．２３（２Ｈ，ｔ，Ｊ＝６．２），２．２８−２．３２（２Ｈ，ｍ），４．２６−４．２８（１Ｈ，ｍ），７．１４（４Ｈ，ｓ），７．５５−７．６１（３Ｈ，ｍ）．
【０１０７】
［合成実施例５］  化合物（Ａ−５）の合成
反応容器にＣ．Ｉ．Ｂａｓｉｃ  Ｂｒｏｗｎ  １６  ３０ｇと水メタノール３００ｍＬを入れ、６０℃に加熱しＣ．Ｉ．Ｂａｓｉｃ  Ｂｒｏｗｎ  １６を溶解した。この溶液にラウロイルグルタミン酸ナトリウム２９．５ｇを入れ、６０℃で２時間撹拌した。溶媒を減圧留去して得られた固体を、変性エタノール３００ｍＬ中で、６０℃で１時間撹拌し、ろ過により不溶分を除去した。溶媒を減圧留去して得られた固体を水１５０ｍＬ中で、６０℃で１時間撹拌し、溶液をろ過により除く操作を３回繰り返し、得られた固体を乾燥し、下記式（Ａ−５）で表される化合物（１６．０ｇ、収率２９．３％）を得た。
【０１０８】
【化２２】
2020033495.tif 000023
【０１０９】
化合物（Ａ−５）のＮＭＲ測定を行い、下記の結果を得た。
１Ｈ  ＮＭＲ（６００ＭＨｚ，ＣＤ３ＯＤ）：δ（ｐｐｍ）＝０．８９（３Ｈ，ｔ，Ｊ＝６．９Ｈｚ），１．６０−１．６２（１８Ｈ，ｍ），２．２３（２Ｈ，ｔ，Ｊ＝６．２Ｈｚ），２．２８−２．３２（２Ｈ，ｍ），３．８３（９Ｈ，ｓ），４．２６−４．２８（１Ｈ，ｍ），７．７３（２Ｈ，ｄ，Ｊ＝８．９Ｈｚ），７．８２（１Ｈ，ｄ，Ｊ＝８．９Ｈｚ），７．９２（１Ｈ，ｄ，Ｊ＝９．６Ｈｚ），８．０１（１Ｈ，ｄ，Ｊ＝９．６Ｈｚ），９．０７（１Ｈ，ｓ）．
【０１１０】
［実施例１］
＜染毛染色＞
染毛用染料として化合物（Ａ−３）１６．５ｍｇ、エタノール１００ｍｇ、界面活性剤としてトリメチルステアリルアンモニウムクロリド１００ｍｇ、増粘剤としてヒドロキシエチルセルロース２００ｍｇ、ｐＨ調整剤としてｐＨ６水溶液９．５３ｇ（クエン酸・Ｈ２Ｏ／クエン酸・三Ｎａ・２Ｈ２Ｏ／水（１：１１：９８８）水溶液）を混ぜ、染色ジェルを調製した。
次いで、染色する毛髪は、株式会社ビューラックス製白髪１００％ＢＭ−Ｗを使用した。毛髪１質量部に対し染色ジェルを２質量部採り、毛髪にコームを用いて万遍なく塗付し、４０℃で１０分染色し、水洗した。
化合物（Ａ−３）は、染毛染色に十分な水溶性を有し、染毛時の泡立ちが良好で、洗浄時および乾燥後に毛髪のパサツキがなく、また、毛髪のムラがなく、指通りが保持された試験検体を得ることができた。
【０１１１】
前記＜試験検体の評価方法＞により、試験前の試験検体の染毛濃度（Ｋ／Ｓｄ）および色味を測定した。結果を表１に示す。
【０１１２】
＜耐汗性試験＞
十分に乾燥した試験検体について、下記の人工汗液（林純薬工業株式会社製）処理を行い、水洗した。
人工汗液処理：
・人工汗液成分
（酸性）  ０．０５％Ｌ−ヒスチジン塩酸塩一水和物
０．５０％塩化ナトリウム
０．２２％りん酸二水素ナトリウム二水和物
０．００５％水酸化ナトリウム  水溶液（ｐＨ５．５）
（塩基性）０．０５％Ｌ−ヒスチジン塩酸塩一水和物
０．５０％塩化ナトリウム
０．５０％りん酸水素二ナトリウム１２水和物
０．００７％水酸化ナトリウム水溶液（ｐＨ８．０）
・浴比：    １：１０（染毛１質量部に対して処理液１０質量部）
・処理温度：４０℃
・処理時間：１０分
上記の条件で人工汗液処理した毛髪試験検体について、染着濃度（Ｋ／Ｓｄ）を測定し残存率（％）を評価した。同様に、色味を測定し、試験前後の色相差（ΔＨ）を評価した。結果を表１に合わせて示す。
【０１１３】
【表１】
2020033495.tif 000024
【０１１４】
［実施例２および実施例３］
実施例１の化合物（Ａ−３）の代わりに、化合物（Ａ−４）および（Ａ−５）を用いた以外は、実施例１と同様に、染毛染色、染毛濃度測定および耐汗性試験を行った。得られた試験検体は、実施例１と同様に、水溶性、泡立ち、洗浄時および乾燥後に毛髪のパサツキがなく、また、毛髪のムラがなく、指通りが保持された試験検体を得ることができた。染毛濃度測定、耐汗試験の結果を表１に合わせて示す。
【０１１５】
［比較例１〜比較例３］
実施例１の化合物（Ａ−１）の代わりに、本発明の化合物に属さない染料である、Ｃ．Ｉ．Ｂａｓｉｃ  Ｖｉｏｌｅｔ  ２、Ｃ．Ｉ．ＨＣ  Ｂｌｕｅ  １５およびＣ．Ｉ．Ｂａｓｉｃ  Ｂｒｏｗｎ  １６を用いた以外は、実施例１と同様に、染毛染色、染毛濃度測定および耐汗性試験を行った。なお、上記の実施例１と比較例１、実施例２と比較例２、および実施例３と比較例３で用いた染毛用組成物中のそれぞれの染料の濃度は、着色する毛髪の単位質量あたりの染料（発色に相当する成分のみ、非発色成分を除く）の質量が等しくなるように調整している（実際には、実施例と比較例の染料ジェルの溶液の吸光度測定により染料濃度を合わせて調整した）。これらの結果を表１に合わせて示す（表中の化合物の「Ｃ．Ｉ．」は省略している）。
【０１１６】
表１の結果から、本発明の化合物を含有する染毛用染料および染毛用組成物を用いたものは、従来の染料を用いたものよりも染毛濃度が高く、高い染毛力が得られることがわかった。また、酸性および塩基性の耐汗試験の結果から、比較例の染料よりも試験後の染毛濃度の残存率が高く、試験後の色相の変化も従来のものと同等であることがわかった。さらに、実施例の染毛用組成物を用いたものは、水溶性、泡立ち、洗浄時および乾燥後に毛髪のパサツキが有無や指通り指通りについて、比較例と同等の結果が得られた。
【産業上の利用可能性】
【０１１７】
本発明に係る化合物および染毛用染料によれば、染毛力に優れ、水溶解性や泡立ちが良好で、洗浄時および乾燥後に毛髪の指通りを保持しながら、耐汗性に優れ、染色された毛髪の褪色を効果的に抑制することができる染毛用組成物を提供することができる。